(57)【要約】      （修正有）【課題】複数の飲食物を一体に収納するため、二個の同一形体容器の頭部を合体させて一体容器とするジョイントキャップを提供する。【解決手段】塩化ビニール等の弱軟材料で成形され、容器の蓋リング５に対応してリング状に形成された本体部と、前記本体部のリング状内部を閉鎖して、本体部分と一体化されたジョイントキャップ底部７とから構成され、前記本体部に容器の蓋リング５に係合する蓋リング止フック部分８を設けて合体ジョイントキャップ３とする。【選択図】図２
0003170001.tif 000002
【実用新案登録請求の範囲】
【請求項１】
本考案は製造構造観点をまったく変え、一単体容器における仕切り区切りを内部に設けることなく、本来から製品化されている小型容器を２ヶ用い、おのおの容器の頭部（飲食面部）と頭部を向かい合わせその部分を一体化させんとするために、成形体の合体ジョイントキャップを用いて、図示記号３合体ジョイントキャップの記号７合体ジョイントキャップ座部と、記号５による蓋リングロックとの構造に、２体容器頭部記号２，４からなる一体化構成を可能な構造特徴としたことを解決手段としたものである。
【請求項２】
この合体ジョイントキャップを用いることにより複数の容器が簡素な当考案で一体化され一つの容器体とすることが可能となる特徴を有するものである。
【請求項３】
またこの合体ジョイントキャップは、従来から有る製品例でいえば、お酒の一合カップの塩ビ製品の蓋のようであるが（見えるが）本考案は蓋底部と底部を合わせた２枚の底部でなく、あくまでもこの底部（中間合わせ部中心）は形状上一枚の底板となっていることを特徴とする合体ジョイントキャップである。
【考案の詳細な説明】
【技術分野】
【０００１】  本考案は複数容器を一体化さすための構造を提供することを目的とするものである。【０００２】  従来飲食に用いる缶（例えれば、缶ビール、酒、缶コーヒー、ジュースなど）は一単体において小型化したものや、または缶内部の仕切り区切りをすることによる複数類の種類を用いる開示が下記文献などのようになされきている。
【先行技術文献】
【特許文献】
【０００３】
【特許文献１】特開２００６−２３２３９６
【特許文献２】特開２００８−２６５８６２
【実用新案文献】
【０００４】
【公開実用１】
昭６０−５０１４２  公報
【公開実用２】
昭６３−６３２５５１  公報
【考案の概要】
【考案が解決しようとする課題】
【０００５】  しかしながら、上述の背景技術を用いて一単体の容器内に複数の内容物を入れ用いる場合には必ずと言っても良いぐらい製造上の仕切りとか区切りの関連する諸問題が伴っていた。さらに製造加工などが容器内部に伴い多量生産の製品ではあらゆるロスが発生するので不向不合理でもある。【０００６】  特に製造技術の複雑さ、製品原価の面、能率面も課題の上、さらに上段下段構造では消費者が上段面を飲食後、次に反対面下段を飲食しようとした場合には、先に飲食した側を下に向けるから先に飲食をした口部容器の残液や残物が出て不衛生なことなどが生じる。  よってこういった製造構造の面及び衛生面の問題点を捉え解決課題としたものである。
【課題を解決するための手段】
【０００７】  本考案は上述するような製造構造の面及び衛生面の２点を同時に解決せんとするために観点をまったく変え、一単体容器における仕切り区切りを内部に設けることなく、本来から製品化されている小型容器を２ヶ用い、おのおの容器の頭部（飲食面部）と頭部を向かい合わせその部分を一体化させんとするために、成形体の合体ジョイントキャップを用いて、図示記号３合体ジョイントキャップの記号７合体ジョイントキャップ座部と、記号５による蓋リングロックとの構造に、２体容器頭部記号２，４からなる一体化構成を可能な構造特徴としたことを解決手段としたものである。【０００８】  この合体ジョイントキャップを用いることにより複数の容器が簡素な当考案で一体化され一つの容器体とすることが可能となる特徴を有するものである。【０００９】  またこの合体ジョイントキャップは、従来から有る製品例でいえば、お酒の一合カップの塩ビ製品の蓋のようであるが（見えるが）本考案は蓋底部と底部を合わせた２枚の底部でなく、あくまでもこの底部（中間合わせ部中心）は形状上一枚の底板となっていることを特徴とする合体ジョイントキャップである。
【考案の効果】
【００１０】  本考案によると、従来のような容器内部を区切ったり仕切ったりする複雑な製造工程を手間と費用をかけることなく、市販されている小型缶容器製品など目的とする二種類の異なる製品を同一形体容器であればこの考案による合体ジョイントキャップという形成品にて素早く一体化させ新たな製品体とし販売することが可能となる効果を有する。【００１１】  従来であると容器内部に異なる製品を仕切りとか区切り構造とした上で挿入させて一体における複数製品としていたが、  本考案により消費者は好みの製品と異なる製品とを組み合わせることが即座に可能となり、この合体ジョイントキャップにて自由選択があらゆる場面、及び購入時にでも出来ることとなる効果を有する。【００１２】  さらに本考案による合体ジョイントキャップを活用すると、従来タイプのキャップカバー２ヶ分の役目を本考案の合体ジョイントキャップを活用することで１ヶで兼ねることも可能となる効果を有するものである。
【図面の簡単な説明】
【００１３】
【第１図】
は、上段と下段に異なる種類内容物二ヶ容器を本考案の合体ジョイントキャ ップにて一体化をさせたイメージ実施例図。
【第２図】
は、本考案の合体ジョイントキャップに、異種類２ヶの容器を一体化させん とするイメージ断面図を示す。
【考案を実施するための形態】
【００１４】  当考案を完追させるためには、第一図、第二図に示した記号３の合体ジョイントキャップにて可能となるものであるが、このジョイントキャップは塩化ビニール（エンビ）などの弱軟製品で成形製造をする。  次に構造において重要なポイントは記号２，４の容器と外形記号５の蓋リングにてそれぞれの容器を一体化固定さすためにこのジョイントキャップには、記号８の蓋リング止フック部分を上下部分に設けることで容器と容器との結着力と容器を脱落させないためのジョイント力を補強させるポイント構造とし、さらに記号７のジョイントキャップ底面とを一体化一枚中心構造としたことが実施をさせるための重要な必要形態特徴構造となる。
【実施例】
【００１５】  第二図のごとく容器本体記号２に、別の容器本体記号４を一体化させるために本考案の記号３の合体ジョイントキャップを設け活用し容器と容器の頭部と頭部とを記号３に双方とを差し込み挿入し、記号８の蓋リング止めフック合体にて二種類の容器を簡易に一体化単体化させるものである。【００１６】  消費者が利用する際には、好みの側容器を取り外すため、反対側容器体を手で握り、必要側をこねると必然的な形で取り外せることとなる。
【産業上の利用可能性】
【００１７】  本考案の合体ジョイントキャップは従来よりの一ヶ一ヶのキャップ蓋ではなく個々容器体二ヶを一体化ジョイントさせ一ヶ体とせんとするものであるから、ニケの蓋を必要とするならば本件は材料が一ヶ分で済むとも言え、製造コスト面からも産業上利用性は高まる。【００１８】  同一形体の太さであれば業者や消費者らが目的とする組み合わせや要求に応じた好みの製品を簡素に組み合わせできることとなり、少量多品種に応じられる利便性が向上する。【００１９】  特に、製造上複雑な製造ロス、作業ロス、費用等にも本考案を利活用することにより貢献が図れ、目的を達成されることとなるものである。
【符号の説明】
【００２０】  １・・・容器底部      ２・・・Ａ容器体  ３・・・合体ジョイントキャップ      ４・・・Ｂ容器体  ５・・・蓋リング      ６・・・クリップ  ７・・・合体ジョイントキャップの底部  ８・・・蓋リング止フック  ９・・・記号２のＡ容器体内容物１０・・・記号４のＢ容器体内容物
【図１】
0003170001.tif 000003
【図２】
0003170001.tif 000004
【手続補正書】
【提出日】平成23年6月7日(2011.6.7)
【手続補正１】
【補正対象書類名】実用新案登録請求の範囲
【補正対象項目名】全文
【補正方法】変更
【補正の内容】
【実用新案登録請求の範囲】
【請求項１】
一単体容器における仕切り区切りを内部に設けることなく、従来から製品化されている小型容器を２ヶ用い、飲食面部となる各々の容器の頭部と頭部を向かい合わせて、その部分を一体化させんとするための成形体の合体ジョイントキャップ（３）であって、弱軟材料で成形され、容器の蓋リング（５）に対応してリング状に形成された本体部と、前記本体部のリング状内部を閉鎖して、本体部分と一体化されたジョイントキャップ底部（７）とから構成され、前記本体部に容器の蓋リング（５）に係合する蓋リング止フック部分（８）を設けることを特徴とする合体ジョイントキャップ。